(57)【特許請求の範囲】
【請求項１】
少なくとも感光体と現像部とを一体的に構成したイメージドラムを、記録媒体の搬送方向に挿脱可能に配列した装置本体と、該装置本体の開口を開閉すべく、該装置本体に回動可能に保持された開閉カバーとを有する電子写真記録装置において、
前記開閉カバーに保持され、該開閉カバーが閉じられた時に前記装置本体に保持されたイメージドラムの前記感光体に対向して配置されると共に、その一端部及び他端部に各々第１及び第２の係合部が形成されたＬＥＤヘッド部と、
前記装置本体に形成されて、前記第１の係合部と係合可能な第１の係合手段と前記第２の係合部と係合可能な第２の係合手段と
を有し、
前記開閉カバーの回動軸を前記記録媒体の搬送方向と平行な方向に設定し、前記第１と第２の係合手段のうち、少なくもどちらか一方の係合手段が前記開閉カバーの回動に連動し、前記第１の係合部と前記第１との係合手段の係合、及び前記第２の係合部と前記第２の係合手段との係合によって前記ＬＥＤヘッド部を前記装置本体に位置決めすることを特徴とする電子写真記録装置。
【請求項２】
更に前記イメージドラムの一端部及び他端部に各々形成された第３及び第４の係合部と、
前記装置本体に形成されて、前記第３の係合部と係合可能な第３の係合手段と前記各第４の係合部と係合可能な第４の係合手段と
を有し、
前記第３と第４の係合手段のうち、少なくもどちらか一方の係合手段が前記開閉カバーの回動に連動し、前記第３の係合部と前記第３との係合手段の係合、及び前記第４の係合部と前記第４の係合手段との係合によって前記イメージドラムを前記装置本体に位置決めすることを特徴とする請求項１記載の電子写真記録装置。
【請求項３】
前記回動軸から遠い方の係合手段を前記開閉カバーと連動させたことを特徴とする請求項１または２記載の電子写真記録装置。
【発明の詳細な説明】
【０００１】
【発明の属する技術分野】
本発明は、電子写真記録装置の構成に関し、特に電子写真記録装置におけるスタッカカバーの開閉機構の構成に関する。
【０００２】
【従来の技術】
図９は、従来のカラー電子写真記録装置の外形を示す外形斜視図であり、図１０は、その装置を図９の矢印Ｂ方向からみた要部構成図である。
【０００３】
この種の装置では、ＬＥＤヘッドと、感光体や現像ローラ等を含むイメージドラムとを備える画像形成機構を、例えばイエロー、マゼンタ、シアン、ブラックの各色の現像のために４組用意し、記録紙の搬送方向に配列してカラー印刷が行われる。
【０００４】
図１０の構成図は、これら４組の画像形成機構の従来の取付け方法を示すものである。同図中、電子写真記録装置５０の装置本体５１側には、ベルトユニット５６によって矢印Ａ方向に搬送される記録媒体の搬送経路に沿って、その上流側から順にイエロー（Ｙ）用のイメージドラム５２、マゼンタ（Ｍ）用のイメージドラム５３、シアン（Ｃ）用のイメージドラム５４、そしてブラック（Ｂ）用のイメージドラム５５が順に配置されている。更にその搬送経路の下流側には定着器５７、及び用紙セパレータ５８が順に配置されている。
【０００５】
これらの経路を経てカラー印刷された記録用紙は、この用紙セパレータ５８によって排出方向が選択され、スタッカカバー６１の上面の用紙排出部６２（図９）、又は装置本体５１に配設された排出スタッカ５９に順次排出される。
【０００６】
スタッカカバー６１は、その一端部が、記録用紙の移動平面に平行で且つその搬送方向（矢印Ａ方向）と垂直な方向に延在する軸７１を回動軸として、装置本体５１の上方端部に回動自在に保持されている。このスタッカカバー６１の、装置本体５１に配設された４つのイメージドラム５２〜５５に対向する位置には、それぞれＬＥＤヘッド６２〜６５が取付けられている。
【０００７】
これらのＬＥＤヘッド６２〜６５は、対応するイメージドラム５２〜５５の各感光体５２ａ〜５５ａの周面を露光するもので、それぞれ軸７１の軸方向に所定の幅を有して延在し、コイルスプリンブ等の図示しない付勢部材によりスタッカカバー６１から離間する方向に付勢されつつ、僅かに変位可能に保持されている。また、各ＬＥＤヘッド６２〜６５の両端部には、各々位置決め用の突起（図示せず）が形成されている。
【０００８】
これ等の突起は、スタッカカバー６１が図１０に示すオープン状態から矢印Ｃ方向に回動し、各ＬＥＤヘッド６２〜６５がそれぞれ対応する各感光体５２ａ〜５５ａ近傍の所定の位置に至る動作位置（図９に示す閉じた状態）に至る過程で、各イメージドラム５２〜５５の対応する位置に形成された位置決め孔（図示せず）に各々嵌入して相対的に位置決めされる。
【０００９】
尚、図９、図１０の各図に示すＸ，Ｙ，Ｚ座標軸は、記録紙の搬送方向（矢印Ａ方向）と平行にＸ軸を設定し、記録用紙の移動平面に平行で且つＸ軸と直交する方向（軸７１の軸方向と平行な方向でもある）にＹ軸を設定し、更にこれら両軸と直交する方向にＺ軸を設定している。
【００１０】
【発明が解決しようとする課題】
以上の様に、各ＬＥＤヘッド６２〜６５の各々の両端部に形成された位置決め突起が、対向する各イメージドラム５２〜５５に形成された位置決め孔に円滑に嵌入するためには、スタッカカバー６１の回動過程で、ＬＥＤヘッドの両端部の位置決め突起が同時に位置決め孔に嵌入することが望まれる。このため、スタッカカバー６１の回動軸は図１０に示す軸７１のように、記録紙の搬送方向（矢印Ａ方向）と直交する方向に設定される。
【００１１】
更にメンテナンス、或いはジャム用紙除去の必要性から、各イメージドラム５２〜５５の他、定着器５７や用紙セパレータ５８も、オペレータによって上方からアクセスできる構成とする必要があるため、スタッカカバー６１の回動軸７１は、必然的に装置の端部に設けなければならなかった。
【００１２】
しかしながら、以上のように構成すると、スタッカカバー６１は、図１０に示す様に、その長手方向の一端部を中心として回動することになる。従って、オープン状態時には、スタッカカバー６１の他端部は、かなり高い位置まで上がってしまい、その取扱い上、好ましくない状態を招いていた。
【００１３】
本発明の目的は、上記の点を改善し、ＬＥＤヘッドとイメージドラム間の相対位置精度を損なうことなくスタッカカバー６１の開閉を容易にし、装置のメンテナンスやジャム用紙除去時の作業も円滑に実行できる電子写真記録装置を提供することにある。
【００１４】
【課題を解決するための手段】
請求項１の電子写真記録装置は、少なくとも感光体と現像部とを一体的に構成したイメージドラムを、記録媒体の搬送方向に挿脱可能に配列した装置本体と、該装置本体の開口を開閉すべく、該装置本体に回動可能に保持された開閉カバーとを有する電子写真記録装置にであって、
前記開閉カバーに保持され、該開閉カバーが閉じられた時に前記装置本体に保持されたイメージドラムの前記感光体に対向して配置されると共に、その一端部及び他端部に各々第１及び第２の係合部が形成されたＬＥＤヘッド部と、前記装置本体に形成されて、前記第１の係合部と係合可能な第１の係合手段と前記第２の係合部と係合可能な第２の係合手段とを有し、
前記開閉カバーの回動軸を前記記録媒体の搬送方向と平行な方向に設定し、前記第１と第２の係合手段のうち、少なくもどちらか一方の係合手段が前記開閉カバーの回動に連動し、前記第１の係合部と前記第１との係合手段の係合、及び前記第２の係合部と前記第２の係合手段との係合によって前記ＬＥＤヘッド部を前記装置本体に位置決めすることを特徴とする。
【００１５】
また請求項２の電子写真記録装置は、請求項１記載の電子写真記録装置において、更に前記イメージドラムの一端部及び他端部に各々形成された第３及び第４の係合部と、前記装置本体に形成されて、前記第３の係合部と係合可能な第３の係合手段と前記各第４の係合部と係合可能な第４の係合手段とを有し、
前記第３と第４の係合手段のうち、少なくもどちらか一方の係合手段が前記開閉カバーの回動に連動し、前記第３の係合部と前記第３との係合手段の係合、及び前記第４の係合部と前記第４の係合手段との係合によって前記イメージドラムを前記装置本体に位置決めすることを特徴とする。
【００１６】
更に、請求項３の電子写真記録装置、請求項１または２記載の電子写真記録装置において、前記回動軸から遠い方の係合手段を前記開閉カバーと連動させたことを特徴とする。
【００１７】
【発明の実施の形態】
実施の形態１．
図１は、本発明による電子写真記録装置の実施の形態１の構成を示す要部構成図である。
【００１８】
尚、同図中のＸ，Ｙ，Ｚ座標軸は、前記した従来例の図９，図１０の各図と同様に、記録紙の搬送方向と平行にＸ軸を設定し、記録用紙の移動平面に平行で且つＸ軸と直交する方向にＹ軸を設定し、更にこれら両軸と直交する方向にＺ軸を設定している。また、後述する各実施の形態の他の図中の座標軸においても共通する方向を示すものである。
【００１９】
図１は、電子写真記録装置１を、記録紙の搬送経路の下流側（Ｘ軸のマイナス側でもある）からみた内部の要部構成図であり、電子写真記録装置１の装置本体２内の内部シャーシ３には、感光体や現像ローラ等を含むイメージドラム４を着脱自在に保持する一対の保持プレート８，９がＹ軸方向において所定の間隔を保って形成されている。
【００２０】
開閉カバーとしてのスタッカカバー１０は、その一端部が、オペレータが操作のために立つ矢印Ｄで示す装置正面側と反対の装置本体２の背面側上端部において、Ｘ軸と平行に延在する回動軸１１を回動中心として回動自在に保持されている。このスタッカカバー１０には、イメージドラム４に対向する位置において、後述する状態でＬＥＤヘッド１２が保持されている。尚、同図では、このスタッカカバー１０が４５度程開いた状態を示している。
【００２１】
このＬＥＤヘッド１２は、イメージドラム４の感光体５（図２）の長手方向においてその周面全体を露光するに足る長さを有し、ヘッドホルダ１３に固定されている。このヘッドホルダ１３の両端部には、一対の係合突起１３ａ，１３ｂが、その両端部から突出するように形成されている。一方、スタッカカバー１０には、このＬＥＤヘッド１２を所望の位置で保持するための保持台１４が配設されている。
【００２２】
この保持台１４は、前記したヘッドホルダ１３の一対の係合突起１３ａ，１３ｂが各々嵌入し、所定の範囲で自由移動可能とする係合孔１４ａ，１４ｂを形成し、更に、ヘッドホルダ１３との間に圧縮した状態のコイルスプリング１５を配設することによって、ＬＥＤヘッド１２をスタッカカバー１０の蓋体１０ａから離間する方向に付勢しながら、ある程度の位置変位が可能な状態でこれを保持している。尚、ヘッドホルダ１３とＬＥＤヘッド１２とがＬＥＤヘッド１２部に相当する。
【００２３】
これらのＬＥＤヘッド１２とイメージドラム４とは、記録紙に所定のトナーを転写して画像記録する画像形成機構を構成するもので、カラー記録のために複数の画像形成機構が記録紙の搬送方向に配列される。
【００２４】
図２は、この画像形成機構の配列構成を模式的に示した要部説明図で、図１に示す電子写真記録装置１のスタッカカバー１０を閉じた状態にしてＹ軸のマイナス側（矢印Ｄの方向）から見た図である。同図に示すように、電子写真記録装置１には、スタッカカバー１０に保持されたＬＥＤヘッド１２、装置本体２（図１）に保持されたイメージドラム４、及びイメージドラム４の感光体５と圧接する転写ローラ６からなる画像形成機構が４組設けられている。
【００２５】
これらの画像形成機構は、各感光体５と転写ローラ６間に挟まれて矢印Ｅ方向（Ｘ軸のマイナス方向）に移動する図示しないキャリアベルトに吸着されて同方向に移動する記録紙の搬送経路に沿って配置され、その上流側から順に、イエロー（Ｙ）用のイメージドラム４、マゼンダ（Ｍ）用のイメージドラム４、シアン（Ｃ）用のイメージドラム４、及びブラック（Ｂ）用のイメージドラム４が装着される。また同図に示す様に、各ＬＥＤヘッド１２は、スタッカカバー１０が閉じられた状態で、その先端部が対向するイメージドラム４の感光体５の周面に接近し、所望の露光が可能となる位置に移動する。
【００２６】
また、これらの各画像形成機構は、要部において同一の構成であるため、図１に示したブラック（Ｂ）用のイメージドラム４を擁する画像形成機構を例にして、更にそれらの構成を説明する。
【００２７】
装置本体２は、前記したように、内部シャーシ３の側壁部３ｂ，３ｃに設けた一対の保持プレート８，９によってイメージドラム４を着脱自在に保持する。その保持機構は、イメージドラム４の、各保持プレート８，９に対向する両側面部からそれぞれ突出する一対の係合突起４ａ，４ｂと、これらと係合する各保持プレート８，９に形成されたガイド溝８ａ，９ａ（図３）とによって構成されている。
【００２８】
図３は、このガイド溝８ａ，９ａと係合突起４ａ，４ｂとの関係を説明する図で、図１の矢印Ｄ方向から見た部分構成図である。尚、ガイド溝８ａと係合突起４ａ、及びガイド溝９ａと係合突起４ｂは、各係合部が対称に形成されているため、ガイド溝８ａと係合突起４ａとの関係を例にして以下に説明する。
【００２９】
保持プレート８に形成されたガイド溝８ａは、その上部導入部８ｂにおいてその幅が広がり、この上部導入部８ｂから下方に下がるにつれてその幅が徐々にせまくなると共に左方に曲がり、最下部の位置決め部８ｃでは、係合突起４ａの外径と同程度の幅となっている。また、一対の保持プレート８，９は、図１に示す様に、イメージドラム４との対向面が共にＺ軸に対して僅かに傾斜して形成され、両プレート８，９間の間隔は、イメージドラム４の幅に等しい最下部から、上方に向かうにつれて徐々に広がっている。
【００３０】
次に、スタッカカバー１０を図１の状態から更に開き、蓋体１０ａがＺ軸と平行になる９０度程度に開いた状態において、脱着されたイメージドラム４を上方から装着するさいの一連の動きについて説明する。
【００３１】
オペレータは、イメージドラム４の上部の取っ手４ｃを持ってこれを搬送し、その係合突起４ａ，４ｂが、各ガイド溝８ａ，９ａの上部導入部８ｂ、９ｂに導かれる位置まで移動する。この位置からイメージドラム４を下方に下げると、イメージドラム４は、その係合突起４ａ，４ｂが各々ガイド溝８ａ，９ａに導かれて下方移動する。この下方移動に伴い、イメージドラム４のＹ軸方向における位置は、次第に狭まる保持プレート８，９間の対向面によって所望の位置に導かれ、更に、イメージドラム４のＸ軸方向における位置は、各係合突起４ａ，４ｂが、その幅が次第に狭まるガイド溝８ａ，９ａによって所望の位置に導かれることによって位置決めされる。
【００３２】
このようにして、イメージドラム４の各係合突起４ａ，４ｂが、ガイド溝８ａ，９ａの最下方の位置決め部８ｃ，９ｃ至った段階で、イメージドラム４は、そのＸ，Ｙの両軸方向の位置が定まると共に、その底部の四隅に形成された脚部４ｄ〜４ｇが、共に内部シャーシ３の載置底面３ａに当接し、安定した状態で装置本体２に保持される。
【００３３】
逆に装置本体２からイメージドラム４を脱着する際には、オペレータは、イメージドラム４の取っ手を持って上方に引き上げて行われる。尚、イメージドラム４は、図３に示す様に断面長靴型の形状を有するため、引上げ時にＹ軸回りの矢印Ｆ方向に回転する力が生ずるが、ガイド溝８ａ，９ａの曲がりが、この力を有効にして脱着が円滑に行われる。
【００３４】
装置本体２にイメージドラム４が装着された段階で、スタッカカバー１０(図１)は、Ｘ軸回りの矢印Ｉ方向に回動されて閉められ、電子写真記録装置１の記録動作を可能とする動作位置まで変位する。図４は、スタッカカバー１０が閉められ、この動作位置にあるときの電子写真記録装置１の状態を示す構成図である。
【００３５】
このスタッカカバー１０が閉められる過程において、図１に示す状態から、更にＸ軸回りの矢印Ｉ方向に回動されると、ＬＥＤヘッド１２の長手方向の両端部に形成された位置決め凹部１２ａ，１２ｂのうち、先ず回動中心に近い方の位置決め凹部１２ｂに内部シャーシ３の側壁部３ｃに形成された位置決め突起２１が嵌入し、これによって、この位置決め凹部１２ｂが回動に伴なって位置決めされる。尚、位置決め凹部１２ａ及び１２ｂは、各々第１及び第２の係合部に相当し、また位置決め突起２１は、第２の係合手段に相当する。
【００３６】
また、内部シャーシ３のもう一方の側壁部３ｂには、連動レバー２３がＸ軸に平行な回動軸２４を回動中心として回動自在に保持されている。この連動レバー２３は、Ｌ字状に曲がったその先端部に、ＬＥＤヘッド１２の他方の端部に形成された位置決め凹部１２ａに嵌入する位置決め突起２３ａが形成され、Ｘ軸回りの矢印Ｉ方向に付勢されるも、図示しない規制部材によって図１に示す待機位置に位置規制されている。
【００３７】
この図示しない規制部材は、スタッカカバー１０の回動と連動し、スタッカカバー１０が図４に示す動作位置近傍まで回動段階で、連動レバー２３の位置規制を解除するように構成されている。従って、スタッカカバー１０が上記したような過程を経て図４に示す動作位置まで回動すると、連動レバー２３の位置決め突起２３ａがＬＥＤヘッド１２の位置決め凹部１２ａに嵌入し、ＬＥＤヘッド１２を所定の位置に位置決めする。尚、図示しない付勢手段及び規制手段と共に、この連動レバー２３が第１の係合手段に相当する。
【００３８】
位置決め突起２１，２３ａの各先端部は、それぞれ全く同じ形状をしているため、図５に示す位置決め突起２１を例にしてその形状を説明する。同図に示す様に、位置決め突起２１の両側面２１ａ、２１ｃ、及び下面２１ｂは、共に先端部に向かって先細となる傾斜面となっている。一方、ＬＥＤヘッド１２に形成された各位置決め凹部１２ａ，１２ｂは、これらの位置決め突起２１，２３ａが、図５に点線１００で示す嵌入位置辺りまで嵌入した段階で、その開口部が各斜面に当接して位置決め保持される形状となっている。
【００３９】
従って、ＬＥＤヘッド１２は、スタッカカバー１０によって、ある程度の位置変位が可能な状態で保持されているが、スタッカカバー１０が図４に示す動作位置まで回動し、連動レバー２３の位置決め突起２３ａがＬＥＤヘッド１２の位置決め凹部１２ａに嵌入して更にＹ軸の（＋）方向に付勢されることにより、前記した位置決め突起２１，２３ａの各傾斜面に導かれ、最終的には所定の位置に位置決めされる。
【００４０】
一方、スタッカカバー１０を開ける際には、図示しない手段によって、連動レバー２３をＸ軸回りの矢印Ｈ方向に回動し、更に図示しない前記規制部材によって、再び図１に示す待機位置にこれを位置規制する。
また、位置決め突起２１の下面２１ａの傾斜は、スタッカカバー１０の回動に応じて行われる位置決め突起２１の、ＬＥＤヘッド１２の位置決め凹部１２ｂに対する挿脱動作を円滑に行なうためにも有効となる。
【００４１】
尚、以上説明したＬＥＤヘッド１２及びイメージドラム４の位置決め機構は、前記したように図２に示す４つの画像形成機構に各々設けられているものである。
【００４２】
以上のように、実施の形態１の電子写真記録装置１によれば、ＬＥＤヘッド１２の両端部に形成さた一対の位置決め凹部に嵌入する位置決め機構を装置本体のシャーシに設け、一対の位置決め凹部に嵌入する位置決め突起が必ずしも同時に嵌入しなくてもよい構成としたため、スタッカカバーを開ける際の回動軸を記録紙の搬送方向に設けることがきる。
【００４３】
実施の形態２．
図６は、本発明による電子写真記録装置の実施の形態２の構成を示す要部構成図である。この電子写真記録装置３１が前記した図１に示す実施の形態１の電子写真記録装置１に対して異なる点は、ＬＥＤヘッド１２及びイメージドラム４０の位置決めに関する構成部分である。従って、実施の形態１の電子写真記録装置１と異なる構成部分を重点的に説明し、これと共通する構成部分には同符号を付してその説明を省略する。
【００４４】
図６において、装置本体３２内の内部シャーシ３３の側壁部３３ｂ，３３ｃには、イメージドラム４０を着脱自在に保持する一対の保持プレート３４，３５がＹ軸方向において所定の間隔を保って形成されている。これらの保持プレート３４，３５には、実施の形態１で説明したガイド溝８ａ，９ａ(図３)がそれぞれ同位置に形成されている。
【００４５】
図６に示す様に、両プレート３４，３５と、イメージドラム４０との間には、それぞれ所定の隙間が形成されるように両プレート間の間隔が保たれている。側壁部３３ｃには、前記した第２の係合手段としての位置決め突起２１の他に、その最下部において第４の係合手段としての規制突起３７が形成されている。この規制突起３７は、後述するように、イメージドラム４０の底部から側部にかけて形成された第４の係合部としての規制Ｖ字溝４０ｂに嵌入する。
【００４６】
一方、保持プレート３４には、第１スライド部材４１がＹ軸に平行な方向にスライド可能に保持されている。この第１スライド部材４１の一端部４１ａには、実施の形態１の連動レバー２３(図１)の先端部の位置決め突起２３ａと同様に、ＬＥＤヘッド１２の第１の係合部としての位置決め凹部１２ａに嵌入する先端部突起４１ａが形成され、その他端部には、後述するスライドレバー４２の第１作用部４２ａに当接する傾斜面４１ｂが形成されている。
【００４７】
更に保持プレート３４には、保持プレート３５の規制突起３７に対向する位置で、第２スライド部材４３がＹ軸に平行な方向にスライド可能に保持されている。この第２スライド部材４３の一端部には、後述するように、イメージドラム４０の底部から側部にかけて形成された第３の係合部としての規制Ｖ字溝４０ａに嵌入する先端部突起４３ａが形成され、その他端部には、後述するスライドレバー４２の第２作用部４２ｂに当接する傾斜面４３ｂが形成されている。
【００４８】
これらの第１及び第２のスライド部材４１，４２は、図示しない付勢手段によって共にＹ軸のマイナス方向に付勢され、同図に示す様にＹ軸方向において、第１のスライド部材４１の傾斜面４１ｂが、第２のスライド部材４３の傾斜面４３ｂより僅かにプラス側に位置するそれぞれの規制位置で、共にＹ軸のマイナス方向移動が規制されている。
【００４９】
スライドレバー４２は、内部シャーシ３３の側壁部３３ｂによって、Ｚ軸に平行な方向にスライド可能に保持されている。このスライドレバー４２には、第１のスライド部材４１の傾斜面４１ｂに当接する第１の作用部４２ａと第２のスライド部材４３の傾斜面４３ｂに当接する第２の作用部４２ｂがそれぞれ形成されている。
【００５０】
更にこのスライドレバー４２は、図示しない付勢手段によってｚ軸のプラス方向に付勢され、同図に示す位置、即ち第１と第２の各作用部が、それぞれ対応する傾斜面４１ｂ，４３ｂから僅かに離間する規制位置で、ｚ軸のプラス方向の移動が規制されている。またスライドレバー４２の上端部４２ｃは、スライドレバー４２がこの規制位置にあるとき、所定高さｈだけ装置本体３２から上方に突出している。
【００５１】
尚、第１のスライド部材４１とスライドレバー４２、及びこれらを付勢する図示しない部材は、第１の係合手段に相当し、第２のスライド部材４３とスライドレバー４２、及びこれらを付勢する図示しない部材は、第３の係合手段に相当する。
【００５２】
以上の構成で、スタッカカバー１０が図６の状態から更に開き、蓋体１０ａがＺ軸と平行になる９０度程に度開いた状態において、脱着されたイメージドラム４０を上方から装着するさいの一連の動きについて説明する。
【００５３】
オペレータは、イメージドラム４０の上部の取っ手４０ｃを持ってこれを搬送し、その係合突起４ａ，４ｂが、図３に点線で示す実施の形態１の場合と同形状に保持プレート３４，３５に形成されたガイド溝８ａ，９ｂの上部導入部８ｂ、９ｂに導かれる位置まで移動し、更にガイド溝８ａ，９ａに沿って下方に下げる。この下方移動に伴い、イメージドラム４０のＸ軸方向における位置は、実施の形態１の場合と同様に各係合突起４ａ，４ｂが、その幅が次第に狭まるガイド溝８ａ，９ａによって所望の位置に導かれることによって位置決めされる。
【００５４】
一方、両プレート３４，３５と、イメージドラム４０との間には、全域にわたって所定の隙間が形成されるように両プレート間の間隔が保たれているため、イメージドラム４０は、その底部の四隅に形成された脚部４ｄ〜４ｇが、共に内部シャーシ３３の載置底面３３ａに当接する位置まで円滑に移動する。このようにして、イメージドラム４０は、最下方の載置位置に至るが、その直前に側壁部３３ｃの最下部に形成された規制突起３７がイメージドラム４０の底部から側部にかけて形成された規制Ｖ字溝４０ｂに嵌入する。
【００５５】
図８は、イメージドラム４０に形成された規制Ｖ字溝４０ｂ、及び規制突起３７の先端部の形状を示すもので、同図（ａ）は、Ｙ軸のプラス側からイメージドラム４０の規制Ｖ字溝４０ｂ部をみた部分側面図であり、同図（ｂ）は同図（ａ）における指示線１０１を通る断面を矢印Ａ−Ａ方向からみた断面図である。
【００５６】
同図に示す様に、このとき、断面Ｖ字状に形成された規制Ｖ字溝４０ｂに、規制突起３７のくさび状に形成された先端部３７ａが嵌入した状態となっている。以上のように、イメージドラム４０は、載置底面３３ａに載置される段階で、そのＸ軸方向の位置が定まるものの、Ｙ軸方向においては多少の移動が可能な余裕を有した状態となっている。
【００５７】
この状態で、スタッカカバー１０は、Ｘ軸回りの矢印Ｉ方向に回動されて閉められ、電子写真記録装置３１の記録動作を可能とする動作位置まで変位する。図７は、スタッカカバー１０が閉められ、この動作位置にあるときの電子写真記録装置３１の状態を示す構成図である。
【００５８】
スタッカカバー１０が閉められる過程において、図６に示す状態から、更にＸ軸回りの矢印Ｉ方向に回動されると、ＬＥＤヘッド１２の長手方向の両端部に形成された位置決め凹部１２ａ，１２ｂのうち、先ず回動中心に近い方の第２の係合部としての位置決め凹部１２ｂに内部シャーシ３３の側壁部３３ｃに形成された位置決め突起２１が嵌入し、これによって、この位置決め凹部１２ｂが回動に伴なって位置決めされる。
【００５９】
一方、スライドレバー４２は、その上端部４２ｃが、スタッカカバー１０が閉められる動作位置となる直前に蓋体１０ａの下部面１０ｂに当接して下方に押され、下方移動を開始する。この下方移動に伴なって、先ずその第２作用部４２ｂが第２スライド部材４３の傾斜面４３ｂに当接し、これをＹ軸のプラス方向に移動させる。尚、この第２スライド部材４３の先端部突起４３ａと、イメージドラム４０の規制Ｖ字溝４０ａの形状は、図８（ｂ）に示す規制突起３７の先端部３７ａと規制Ｖ字溝４０ｂの形状と対称に形成されている。
【００６０】
従って、この第２スライド部材４３が、その移動によってイメージドラム４０を同方向に押し、更に図８（ｂ）に示す規制突起３７の先端部３７ａと規制Ｖ字溝４０ｂとが当接する段階で、イメージドラム４０をＸ，Ｙの両軸方向において位置決めすることが出来る。
【００６１】
また、スライドレバー４２は、その下方移動により上記イメージドラム４０の位置決めを進行させる過程で、第１作用部４２ａが第１スライド部材４１の傾斜面４１ｂを押圧し、その先端突起部４１ａをＬＥＤヘッド１２の位置決め凹部１２ａに嵌入させてＬＥＤヘッド１２のＸ，Ｙの両軸方向における位置決めをする。この位置決め作用は、前記した実施の形態１と全く同じなので、その説明を省略する。
【００６２】
尚、第１スライド部材４１がＹ軸のプラス方向に移動を開始する時点で、ＬＥＤヘッド１２の位置決め凹部１２ａが嵌入可能な位置まで移動するように、先端部突起４１ａの所定高さｈ等の各部の形状が考慮されなければならない。
【００６３】
尚、実施の形態２では、保持プレート３４，３５に形成されたガイド溝８ａ，９ａ（図３）を実施の形態１と同様に下方にいくにつれてその幅が次第に狭まるようにし、イメージドラム４０のＸ軸方向における位置を決めていたが、前記したように第２スライド部材４３の移動によってもイメージドラム４０のＸ軸方向の位置決めが可能なため、特にその幅を狭めなくてもよい。
【００６４】
以上のように、実施の形態２の電子写真記録装置３１によれば、実施の形態１の効果に加え、スタッカカバーが閉まる動作に連動してＬＥＤヘッド１２及びイメージドラム４０が位置決めされる構成としたので、イメージドラム４０を挿脱する際には、イメージドラム４０を自由状態にできるため、その挿脱操作を円滑に実行することができる。
【００６５】
【発明の効果】
請求項１の電子写真記録装置によれば、開閉カバーを開ける際の回動軸を記録媒体の搬送方向に設けることがきるため、オペレータにとって開閉カバーの開閉が容易となる。また、開閉カバーがこの方向に回動しても、ＬＥＤヘッドの位置決めを確実に行うことができる。
【００６６】
請求項２の電子写真記録装置によれば、請求項１の効果に加え、イメージドラムを挿脱する際には、イメージドラムが位置規制されない自由状態にできるため、その挿脱操作を円滑に実行することができる。
【図面の簡単な説明】
【図１】  本発明による電子写真記録装置の実施の形態１の構成を示す要部構成図である。
【図２】  画像形成機構の配列構成を模式的に示した要部説明図である。
【図３】  ガイド溝８ａ，９ａと係合突起４ａ，４ｂとの関係を説明する図で、図１の矢印Ｄ方向から見た部分構成図である。
【図４】  スタッカカバー１０が閉められて動作位置にあるときの電子写真記録装置１の状態を示す構成図である。
【図５】  （ａ），（ｂ）は位置決め突起２１，２３ａの各先端部の形状を説明するための図である。
【図６】  本発明による電子写真記録装置の実施の形態２の構成を示す要部構成図である。
【図７】  スタッカカバー１０が閉められて動作位置にあるときの電子写真記録装置３１の状態を示す構成図である。
【図８】  （ａ）は、Ｙ軸のプラス側からイメージドラム４０の規制Ｖ字溝４０ｂ部をみた部分側面図であり、（ｂ）は（ａ）における指示線１０１を通る断面を矢印Ａ−Ａ方向からみた断面図である。
【図９】  従来のカラー電子写真記録装置の外形を示す外形斜視図である。
【図１０】  図９の矢印Ｂ方向からみた従来のカラー電子写真記録装置の要部構成図である。
【符号の説明】
１  電子写真記録装置、  ２  装置本体、  ３  内部シャーシ、  ３ａ  載置底面、  ３ｂ，３ｃ  側壁部、  ４  イメージドラム、  ４ａ，４ｂ  係合突起、  ４ｃ  取っ手、  ４ｄ〜４ｇ  脚部、  ５  感光体、  ６  転写ローラ、  ８，９  保持プレート、  ８ａ，９ａ  ガイド溝、  ８ｂ，９ｂ  上部導入部、８ｃ，９ｃ  位置決め部、  １０  スタッカカバー、  １０ａ  蓋体、  １０ｂ  下部面、  １１  回動軸、  １２  ＬＥＤヘッド、  １２ａ，１２ｂ  位置決め凹部、  １３  ヘッドホルダ、  １３ａ，１３ｂ  係合突起、  １４  保持台、  １５  コイルスプリング、  ２１  位置決め突起、  ２３  連動レバー、２３ａ  位置決め突起、  ２４  回転軸、  ３１  電子写真記録装置、  ３２装置本体、  ３３  内部シャーシ、  ３４，３５  保持プレート、  ３７  規制突起、  ４０  イメージドラム、  ４０ａ、４０ｂ  規制Ｖ字溝、  ４１  第１スライド部材、  ４１ａ  先端部突起、  ４１ｂ  傾斜面、  ４２  スライドレバー、  ４２ａ  第１作用部、  ４２ｂ  第２作用部、  ４２ｃ  上端部、  ４３  第２スライド部材、  ４３ａ  先端部突起、  ４３ｂ  傾斜面。
【図１】
0003685734.tif 000002
【図２】
0003685734.tif 000003
【図３】
0003685734.tif 000004
【図４】
0003685734.tif 000005
【図５】
0003685734.tif 000006
【図６】
0003685734.tif 000007
【図７】
0003685734.tif 000008
【図８】
0003685734.tif 000009
【図９】
0003685734.tif 000010
【図１０】
0003685734.tif 000011